(57)【要約】【課題】従来のねじの固定手段やピン等を用いた複雑な専用工具を用いる固定手段を必要とせず、十分な固定強度を具えつつも、容易に分解可能な傘の手元を提供する。【解決手段】先端面を開口するとともに前記開口から少なくとも１つのスリットが形成されており、先端に向けて小径となる外周面にねじ溝を形成して手元の先端に突設された受け部の前記開口に中棒の基端を挿入して、前記受け部のねじ溝に螺合するねじ溝を形成した締込み筒体を螺接することにより、前記中棒に取り外し可能に手元を固着する取付け構造において、前記中棒における軸線方向の所定の位置に軸線と略直交する凸条が突設されているとともに、前記受け部の内周面に前記凸条と嵌合する凹溝が形成されている【選択図】図１
2015029773.tif 000002
【特許請求の範囲】
【請求項１】
先端面を開口するとともに前記開口から少なくとも１つのスリットが形成されており、先端に向けて小径となる外周面にねじ溝を形成して手元の先端に突設された受け部の前記開口に中棒の基端を挿入して、前記受け部のねじ溝に螺合するねじ溝を形成した締込み筒体を螺接することにより、前記中棒に取り外し可能に手元を固着する取付け構造において、
前記中棒における軸線方向の所定の位置に軸線と略直交する凸条が突設されているとともに、
前記受け部の内周面に前記凸条と嵌合する凹溝が形成されていることを特徴とする傘の手元と中棒との取付け構造。
【請求項２】
前記凸条が周方向に連続する段部を有しているとともに、前記受け部の前記凹溝において前記段部と互いに嵌合する段部が具えられていることを特徴とする請求項１に記載の傘の手元と中棒との取付け構造。
【請求項３】
前記受け部の先端面が前記受け部の基端面よりも外側に反っていることを特徴とする請求項１または２に記載の傘の手元と中棒との取付け構造。
【請求項４】
前記手元の先端の外径と前記締込み筒体の開口端の外径がほぼ等しいことを特徴とする請求項１，２または３に記載の傘の手元と中棒との取付け構造。
【発明の詳細な説明】
【技術分野】
【０００１】
本発明は、傘、特に手元や傘布を簡単に着脱可能な傘に関するものである。
【背景技術】
【０００２】
傘は多くの場合、金属製の中棒の基端に手元が固着されているとともに中棒の先部に固着した上ロクロに多数本の親骨が所定の間隔で開閉可能に取り付けられており、前記親骨に傘布が被着されているものであり、異なる種類の素材により形成された部品により構成されており、これらの部品を組み合わせて製造することから各部品の連結の容易性が生産性ならびに経済性の向上に貢献することになるため、各部品が簡単な工程で連結可能となる工夫がされている。
【０００３】
また、近頃は使用済みの傘においてはリサイクルの観点から各素材別に分別して廃棄する必要があることから、傘の廃棄時おいて、各部品を使用者が道具を使用することなしに容易に分解できるという点も要求されている。
【０００４】
更に、例えば手元のように他の部品に比べて耐久性があるとともに趣味性が高い部品については、使用者は可能ならば手元だけを交換して使用し続けることを要望することもあるとともに、加えて可能であれば、購入時に手元を別に販売して使用者が好みの手元を自分で装着可能であると自分好みの傘を購入することもできる。
【０００５】
そこで、例えば使用者において簡単に挿脱可能である一方、確実な装着が可能な手元を有して自分好みの傘を簡単に提供可能にするばかりかリサイクルにも適した傘の提供が望まれている。
【０００６】
そこで、例えば特開２００７−９７９９２号公報、特開２０１０−２１３８９７号公報などにねじ止め式の手元取り付け手段が提示されているが、これらの公報に提示されている手元の取り付け手段は、手元と中棒との結合がねじだけに委ねられており、使用時に開いた傘布の全体に風圧が掛かることを考えると更に強固な固定手段が要求される。また、
特開２０１０−２１４０４７号公報、特開２００９−１３６３６２号公報などにはピン
を用いた手元の固着手段が提示されているが、ピンを用いた場合には構造が複雑になる他、取り外す際にピンを押圧するための専用の工具が必要であるため製造面で手間がかかるだけでなく、専用工具を常備する必用があることは使用者にとっても不便である、という問題がある。
【０００７】
加えて、特開２０１１−２０６１９６号公報には傘ではないが、杖の分野において杖本体と手元（把持部）との固着手段において、図３に示すように、手元の先端に４本のスリットの入った先端に向けて小径となる、外周面にねじ溝のある受け部を、略筒形状のねじ部材を介して杖本体の凸条と前記スリットを嵌合するように挿入するとともに、前記ねじ部材で螺合し、杖本体の凸条を前記スリットで挟み込むように固着した杖本体と手元（把持部）の取り付け構造が記載されている。
【０００８】
しかしながら、前記取付け構造は、スリットで杖本体の凸部を挟み込むような構造であることから、手元（把持部）と杖本体を取り付けて、ねじ部材で螺合する前の段階において、手元（把持部）が回動することは防ぐことが出来るが、軸線方向の動きを固定していないため、抜けやすく、これを防止するためねじ部材の他に更にキャップにより螺接することにより固着しているため、取付け構造が複雑になるとともに、部品点数が増加し、コスト増加を招いている、という問題がある。
【先行技術文献】
【特許文献】
【０００９】
【特許文献１】特開２００７−９７９９２号公報
【特許文献２】特開２０１０−２１３８９７号公報
【特許文献３】特開２０１０−２１４０４７号公報
【特許文献４】特開２００９−１３６３６２号公報
【特許文献５】特開２０１１−２０６１９６号公報
【発明の概要】
【発明が解決しようとする課題】
【００１０】
本発明は、上記のような問題点を解決しようとするものであり、前記従来の固定手段に委ねられることなく、また、ピン等を用いた複雑な専用工具を用いる固定手段を必要とせず、十分な固定強度を具えつつも、容易に分解可能な傘の手元を提供する。
【課題を解決するための手段】
【００１１】
前記課題を解決するためになされた本発明は、先端面を開口するとともに前記開口から少なくとも１つのスリットが形成されており、先端に向けて小径となる外周面にねじ溝を形成して手元の先端に突設された受け部の前記開口に中棒の基端を挿入して、前記受け部のねじ溝に螺合するねじ溝を形成した締込み筒体を螺接することにより、前記中棒に取り外し可能に手元を固着する取付け構造において、前記中棒における軸線方向の所定の位置に軸線と略直交する凸条が突設されているとともに、前記受け部の内周面に前記凸条と嵌合する凹溝が形成されていることを特徴とする。
【００１２】
また、前記凸条が周方向に連続する段部を有しているとともに、前記受け部の前記凹溝において前記段部と互いに嵌合する段部が具えられていることにより、前記手元と前記中棒がしっかりと固定される。
【００１３】
加えて、前記受け部の先端面が前記受け部の基端面よりも外側に反るような構成とすることにより連結具の挿入を行いやすくすることができる。なお、前記手元の先端の外径と前記締込み筒体の開口端の外径がほぼ等しくすることにより、取り付け後に手元との段差がなくなり、爪などが引っ掛かることを防ぐことができる。
【発明の効果】
【００１４】
中棒における軸線方向の所定の位置に軸線と略直交する凸条が突設されているとともに、前記受け部の内周面に前記凸条と嵌合する凹溝が形成されている本発明によると、傘が強風に煽られたりしたような場合であっても手元が緩み外れるようなことがない、一方、好みの手元に交換する時や廃棄する時においては容易に分解を行えることに加え、複雑な部品を必要としないため導入コストも比較的安くすることができる。
【図面の簡単な説明】
【００１５】
【図１】本発明による実施の形態の傘の手元の模式図である。
【図２】本発明による実施の形態の傘の手元と中棒の連結構造の拡大図である。
【図３】従来の手元と中棒の連結構造の模式図である。
【発明を実施するための形態】
【００１６】
以下に、図面を参照しながら本発明を実施するための形態を説明する。
【００１７】
図１は、本発明の実施の形態に係る傘の手元１及び中棒２示した模式的な斜視図である。本発明の実施の形態に係る傘の手元１は、図１のように着脱自在に中棒２と連結されて
いるが本実施の形態では、中棒２を直接手元１に連結することなく、中棒２の基端に固着した連結部３を介して行うものである。
【００１８】
図２（ａ）として本発明の実施の形態に係る傘の手元１と中棒２と連結部３との結合構造を説明するための模式的な分解斜視図を示した。また、図２（ｂ）として、前記手元１の前記受け部１１と連結部３と締込み筒体部４を更に拡大した拡大図を示した。加えて、図２（ｃ）においては、手元１と中棒２と連結具３と締込み筒体４の固着構造を模式的な断面図により示している。
【００１９】
図２（ａ）に示すように、本発明に実施の形態に係る傘の略円筒形状の手元１は、中棒２と中棒２と手元１を連結させるための連結部３と、連結部３と手元１を固定するための締込み筒体部４とから構成される。
【００２０】
図２（ｂ）に示すように手元１の連結部３との連結である受け部１１は、全体として先端に向けて小径となるテーパー状の４つ片部１１ａ〜１１ｄを有しているとともに、前記片部１１ａ〜１１ｄの間には４つのスリット１２が備えられるとともに、その外周面は所定の間隔のねじ１３が施されている。加えて、受け部１１の内周面においては、後述する連結部３の凸条３２と嵌合する凹溝１４が軸線方向の所定の位置に軸線と略直行するように備えられている。更に、片部１１ａ〜１１ｄは、先端に向けて少し外側に反るように配置することにより、連結部３の挿入作業がより行いやすくなる。
【００２１】
続いて、連結部３については、その一端に中棒２を固着するため孔３１を具え、中棒２を前記孔３１へ接着剤と共に挿入し固定する。なお、固着手段は接着剤に限られることはなく、ねじや、圧着、その他の手段により固着してもよい。
【００２２】
そして、前記連結部３の外周面の軸線方向の所定の位置に凸条３２を具える。前記凸条３２は、本発明の実施の形態においては、先端に取付け時又は取り外し時の引っかかりを少なくするため丸みを帯びた凹凸を具えたリング状のものとしたが、この形状に限られるものではなく、前記受け部１１の内周面の軸線方向の所定の位置に設けられた、凹溝１４の凹凸状の段部と嵌合するものであって、前記連結部３が前記受け部１１に挿入され、前記凸条３２と前記凹溝１４が係合したときに、前記連結部３の軸線方向及び周方向に容易に動かない構造であればよい。なお、前記凸条３２の位置については、特に定められるものではないが、凹溝１４の加工位置や、受け部１１のテーパー形状によるねじの締付け位置や、手元１の大きさ等を考慮して適宜定められるものである。
【００２３】
また、図２（ｃ）に示すように本実施の形態は直接中棒２を手元１に固着することなく中棒２の基端に固着した連結部３を介して手元１と固着する構成であり、凸条３２も連結部３に形成すればよく、連結部３における凸条３２については、連結部３と別体として、後から接着してもよいが、連結部３においてプラスチックや金属等を材料とする場合には一体的に成形すれば作業の無駄ないばかりか強度面においても有効である。加えて、手元１側の基端３３は丸みを帯びた形状の連結具３を中棒２の基端に固着しているので、中棒２を直接触ることにより、使用者が分解時において中棒２の基端３３で怪我をすることを防止する。
【００２４】
図２（ａ）（ｂ）（ｃ）に示すように、手元１の先端である受け部１１と連結部３を連結した場合、この時点においては、凸条３２と凹溝１４との嵌合のみであるため回動するようなことはないが、強い衝撃が加わると外れてしまうことも考えられる。
【００２５】
そこで、この連結を確実にするため、中棒２の先端方向から、手元１の受け部１１を被覆するように、略筒形状の締込み筒体４を用いてカバーするとともに、前記締込み筒体４
の内壁には、前記受け部１１に合わせたねじ４１が具えてあり、前記受け部１１の片部１１ａ〜１１ｄと螺合して、連結部３と手元１を確実に螺合する。
【００２６】
なお、前記締込み筒体４の開口端の外径については、手元１の先端の外形をほぼ等しくすることにより手元１から締込み筒体４に係る段差が無くなり、傘を開閉する動作時や、使用中において、手元１と締込み筒体４との段差に爪などが引っ掛かり怪我をすることを防止する。
【００２７】
凹溝１４と凸条３２との結合に加えて、締込み筒体４で確実に固定することにより、風や雨が強い場合においても、手元１がズレたりすることがなく、さらに見た目にも段差がなく綺麗で安全な傘を提供することができる。
【００２８】
さらに、手元１を付け替えたい場合や、傘の親骨が風等で破損し、傘を廃棄する場合には、手元１と中棒２を固定している締込み筒体４のねじ４１を緩めて、先端方向へ移動させた後、連結部３と手元１との連結については、手元１を左右に揺らしながら連結部３から引き抜くことにより分解することが出来るため、従来のような専用の工具を用いたり、ピンを抜いたりする必要がなく簡単に手元１を取り外すことができる。
【符号の説明】
【００２９】
１  手元、１１  受け部、１１ａ〜１１ｄ  片部、１２  スリット、１３  ねじ、１４
凹溝、１５  先端、２  中棒、２１  キャップ、３  連結具、３１  孔、３２  凸条、３３  基端、４  締込み筒体、４１  ねじ、４２  孔、４３  ねじ
【図１】
2015029773.tif 000003
【図２】
2015029773.tif 000004
【図３】
2015029773.tif 000005